(57)【要約】【課題】検索結果を作業者ごと、業務ごとに編集可能な表示方法を提供し、かつ、検索結果を帳票に出力する手間を軽減する方法を提供する。【解決手段】検索画面１００では、検索条件入力エリア１１０から指定した検索条件を保存し、検索結果表示エリア１２０において検索結果の表示方法を指定する表示条件を保存し、検索条件ごとに表示条件を関連付けて保存する。スケジュール帳票画面２００では帳票の出力条件エリア２１３と出力スケジュールエリア２１４から検索画面１００で保存された検索条件、表示条件を参照し、スケジュール条件を作成し、このスケジュール条件に基づいて帳票を自動生成する。帳票は、登録されたスケジュール条件を抽出して一覧化され、一覧からリンク情報が押下されたタイミングで生成される。【選択図】図１
2018163619.tif 000002
【特許請求の範囲】
【請求項１】
データの検索画面から業務レポートとして使用する帳票を出力するための帳票出力方法であって、
前記検索画面からユーザが検索条件を入力する段階と、
前記検索条件ごとに検索結果の表示条件を関連付けて保存する段階と、
前記ユーザが設定するスケジュールに従って、前記帳票の表示が可能なリンク情報を生成する段階と、
前記関連付けられた前記検索条件と前記表示条件を参照し、前記帳票を生成して出力する段階と、
を含むことを特徴とする帳票出力方法。
【請求項２】
前記帳票の内容は、前記ユーザが前記リンク情報をクリックしたタイミングで生成することを特徴とする請求項１に記載の出力方法。
【請求項３】
前記検索条件に従って検索結果を表示する段階と、
前記表示条件を前記ユーザに編集させる段階と、を更に含むことを特徴とする請求項２に記載の帳票出力方法。
【請求項４】
前記編集された表示条件を前記帳票のレイアウトに反映させることを特徴とする請求項３に記載の帳票出力方法。
【請求項５】
データの検索画面から業務レポートとして使用する帳票を出力するための帳票出力方法であって、
前記検索画面の検索条件入力エリアからユーザが検索条件を入力する段階と、
前記検索条件に従って検索結果を前記検索画面の検索結果表示エリアに表示する段階と、
前記検索条件ごとに前記検索結果の表示条件を関連付けて保存する段階と、
前記ユーザが設定するスケジュールに従って、前記帳票の表示が可能なリンク情報を生成する段階と、
スケジュール帳票画面から、前記関連付けられた前記検索条件と前記表示条件を参照し、前記帳票を生成して出力する段階と、
を含むことを特徴とする帳票出力方法。
【請求項６】
前記帳票は、銀行の海外インターネットバンキング・システムにおける帳票であることを特徴とする請求項１から４までのいずれか１項に記載の帳票出力方法。
【請求項７】
請求項１から５までいずれか１項に記載の帳票出力方法の各段階をコンピュータに実行させる帳票出力プログラム。
【発明の詳細な説明】
【技術分野】
【０００１】
本発明は、検索結果を表示する方法、及び検索結果からスケジュールにしたがって帳票を生成し、出力する方法に関する。
【背景技術】
【０００２】
従来から、検索結果を利用者にわかりやすいように加工して表示する検索結果表示方法が知られている。例えば、特許文献１には、検索結果の表示順序に係る重要度と検索結果の件数との関係の把握を容易にして、必要とする検索結果を短時間のうちに探し出すことを可能とする検索結果表示方法が開示されている。
【０００３】
一方、検索結果を画面で見るだけなく、データを検索して、帳票（レポート）としてファイル出力や印刷出力することも行われている。例えば、特許文献２には、項目名及び条件を抽出して、データ検索を行うとき、項目名、条件の追加、変更があっても簡単にかつ自由に対応できるようにするため、レイアウト作成手段によりシート上に表形式で帳票のレイアウトを作成し、項目条件設定手段により表にデータベース上の項目名と複数の条件を抽出して設定し、検索実行手段により抽出した項目名と複数の条件によりデータベースの検索を実行し、帳票出力手段によりデータベースの検索結果を記入した帳票を出力するデータベース検索システムが開示されている。
【先行技術文献】
【特許文献】
【０００４】
【特許文献１】特開２００９−２９４７２３号公報
【特許文献２】特開２０００−０２０６２３号公報
【発明の概要】
【発明が解決しようとする課題】
【０００５】
しかしながら、上記特許文献１，２のような従来技術は、検索結果表示方法とスケジュール化された帳票出力を連携させるものではなかった。今日、企業や銀行などの金融機関においては、膨大な顧客データや取引データを検索し、顧客内や企業内におけるレポートを帳票のかたちで作成する業務が日夜行われているが、このレポートの作成作業は、人間が検索条件を業務ごと、顧客ごとに設定して検索を行い、その検索結果から帳票の出力条件等を設定し、そのつど帳票を作成しているのが現状である。
【０００６】
また、ユーザは、定期的（決まった日時、所定の間隔、等）に出力帳票を確認する場合がある。したがって、ユーザが確認することを想定して、ユーザが望む帳票をあらかじめ作成しておくことも考えられるが、ユーザごとに検索条件、レイアウト、確認スケジュールが異なるため、全てのユーザが設定している全ての条件に応えるために、求められる条件の組合せで帳票を作成した場合、膨大な記憶領域を占有することになる。また、ユーザは、設定した帳票を毎回必ず確認するとは限らないことが分っているので、事前に帳票を作成すると無駄になることもあるという課題があった。
【０００７】
したがって、本発明は、上記のような課題に鑑み、検索結果を作業者（ユーザ）ごと、業務ごとに編集可能な表示方法を提供し、かつ、検索結果を帳票に出力する手間を軽減する検索結果表示方法及び帳票出力方法を提供することを目的とする。
【課題を解決するための手段】
【０００８】
本発明は、以下のような解決手段を提供する。
【０００９】
（１）データの検索画面から業務レポートとして使用する帳票を出力するための帳票出力方法であって、前記検索画面からユーザが検索条件を入力する段階と、前記検索条件ごとに検索結果の表示条件を関連付けて保存する段階と、前記ユーザが設定するスケジュールに従って、前記帳票の表示が可能なリンク情報を生成する段階と、前記関連付けられた前記検索条件と前記表示条件を参照し、前記帳票を生成して出力する段階と、を含むことを特徴とする。
【００１０】
（２）上記（１）の構成において、前記帳票の内容は、前記ユーザが前記リンク情報をクリックしたタイミングで生成することを特徴とする。
【００１１】
（３）上記（２）の構成において、前記検索条件に従って検索結果を表示する段階と、
前記表示条件を前記ユーザに編集させる段階と、を更に含むことを特徴とする。
【００１２】
（４）上記（３）の構成において、前記編集された表示条件を前記帳票のレイアウトに反映させることを特徴とする。
【００１３】
（５）データの検索画面から業務レポートとして使用する帳票を出力するための帳票出力方法であって、前記検索画面の検索条件入力エリアからユーザが検索条件を入力する段階と、前記検索条件に従って検索結果を前記検索画面の検索結果表示エリアに表示する段階と、前記検索条件ごとに前記検索結果の表示条件を関連付けて保存する段階と、前記ユーザが設定するスケジュールに従って、前記帳票の表示が可能なリンク情報を生成する段階と、スケジュール帳票画面から、前記関連付けられた前記検索条件と前記表示条件を参照し、前記帳票を生成して出力する段階と、を含むことを特徴とする。
【００１４】
（６）上記（１）から（４）までのいずれか１つの構成において、前記帳票は、銀行の海外インターネットバンキング・システムにおける帳票であることを特徴とする。
【００１５】
（７）上記（１）から（５）までのいずれか１つの帳票出力方法の各段階をコンピュータに実行させる帳票出力プログラム。
【発明の効果】
【００１６】
本発明によれば、検索結果を作業者ごと、業務ごとに編集可能な表示方法を提供し、かつ、検索結果を帳票に出力する手間を軽減する検索結果表示方法及び帳票出力方法を提供することができる。
【図面の簡単な説明】
【００１７】
【図１】本発明の実施形態に係る検索画面及びスケジュール帳票画面の基本イメージを示す図である。
【図２】海外インターネットバンキング・システムにおける検索画面の例を示す図である。
【図３】海外インターネットバンキング・システムにおけるスケジュール登録画面、スケジュール帳票設定画面の例を示す図である。
【図４】海外インターネットバンキング・システムにおけるスケジュール帳票出力画面の例を示す図である。
【図５】スケジュール帳票を生成する際の抽出条件を示す図である。
【図６】スケジュール帳票を出力するタイミングと出力内容の関係を示す図である。
【発明を実施するための形態】
【００１８】
以下、添付図面を参照して、本発明を実施するための形態（実施形態とも呼ぶ）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１９】
（基本構成）
図１は、実施形態に即したシステム（以下、本システムと呼ぶ）の検索画面及びスケジュール帳票（スケジュールレポートとも呼ぶ）を出力するための設定画面の基本構成を示したものである。ここで、スケジュール帳票とは、あらかじめ設定されたスケジュールにしたがって定期的に発行される帳票（レポート）のことである。なお、実際の業務に使用する具体例（実施例）については後述するが、ここでは、まずは基本的な画面構成について説明する。
【００２０】
図示するように、検索画面１００には、検索条件入力エリア１１０（検索入力画面）と検索結果表示エリア１２０（検索結果出力画面）が存在する。検索条件入力エリア１１０は、検索対象を絞り込むための検索条件を入力するための領域（エリア）であり、最も単純なのはキーワードを入力することであるが、実際には複数の検索条件（検索項目）を指定するのが一般的である。ここでは、検索条件として、例えば、４つの検索項目１１１ａ〜１１１ｄだけを示しており、検索項目Ａ（例えば、顧客名や顧客グループ名など），検索項目Ｂ（例えば、日付や期間など），検索項目Ｃ（例えば、金額や通貨など），検索項目Ｄ（その他）を入力する欄を示している。この検索条件入力画面は任意に設計される。
【００２１】
検索を行うとするユーザは、上記のような検索項目を入力して、検索ボタン１１２を押す（クリック又はタップ）と、検索結果が検索結果表示エリア１２０に表示される。入力した検索条件は、名称を付けて検索条件名欄１１３に入力し、検索条件保存ボタン１１４を押すことで保存され、次回からは保存された検索条件を呼び出すことで、同じ検索条件を再度入力することなく検索が実行できる。
【００２２】
検索結果表示エリア１２０には、検索システムが検索した結果データを表示する検索結果表示エリア１２１が存在する。ここで、ユーザは、表示された検索結果を見やすいように編集したり表示条件を変えたりすることができる。例えば、図示するような表示条件選択メニュー１２２を設けて、この選択欄から表示条件を選択することで、表示方法を変えるようにしてもよい。例えば、日付順にソートしたり、項目別にソートしたりするなどである。また、このとき指定した表示条件自体も後日の再利用のために保存することができ、表示条件に名称を付けて表示条件名欄１２３に入力し、表示条件保存ボタン１２４を押すことで、検索条件とは別に表示条件も保存するようにしてもよい。
【００２３】
ここまでは、従来の検索システムでも行われていることであるが、本システムでは、検索条件と表示条件を関連付けて（紐付けて）、保存した検索条件ごとに表示方法を変えることができる。この関連付け手段は、画面ごとにテーブルを持って行ってもよいし、項目名を埋め込んだＸＭＬ（Extensible Markup Language）を使って行ってもよい。また、検索結果を表形式で表示した場合、その表中で検索項目の並びを変えたり、不要な検索項目を非表示にしたりすることができる。また、特定の検索項目を強調するようにしてもよい。例えば、表１に示すように、「表示条件１」を選択した場合は、検索項目Ａ，Ｂ，Ｃ，Ｄの並びが通常どおり、順にすべて表示されるが、「表示条件２」を選択した場合は、検索項目Ｂ，検索項目Ａ，検索項目Ｄが表示され、検索項目Ｃは非表示にするようにしたり、「表示条件３」を選択した場合は、検索項目Ｃだけを強調表示するようにしたりするなどができる（表１中の数字は列（Column）の並び順を表す）。すなわち、検索目的によって、検索結果の表示条件を検索条件ごとに自由にカスタマイズできる。もちろん、図示は省略するが、表示条件を設定する画面を設けるのは言うまでもない。
【００２４】
【表１】
2018163619.tif 000003
【００２５】
スケジュール帳票画面２００は、帳票、すなわち検索結果のレポートを作成するための画面である。 図示するように、スケジュール帳票画面２００は、出力条件設定エリア２１０が設けられ、出力条件設定エリア２１０は、更に出力条件エリア２１３と出力スケジュールエリア２１４とに分かれる。また、出力条件設定エリア２１０には、スケジュール条件（後述の出力条件と出力スケジュールの総称）の名称を入力するスケジュール条件名入力欄２１１、スケジュール条件保存ボタン２１２が設けられる。
【００２６】
出力条件エリア２１３は、出力する帳票（レポート）の名称であるレポート名欄２１３ａ，保存された検索条件の名称を指定した検索条件を呼び出す(retrieve)、検索条件呼び出し欄２１３ｂ，帳票の対象期間を指定するレポート対象期間欄２１３ｃ，帳票のフォーマット（レイアウト）を指定するフォーマット欄２１３ｄなどが含まれる。
【００２７】
出力スケジュールエリア２１４は、レポートの出力サイクル（例えば、月次、週次、日次など）を指定する出力サイクル指定欄２１４a、出力日を指定する出力日指定欄２１４ｂ、出力時間を指定する出力時間指定欄２１４ｃなどが含まれる。
【００２８】
画面の遷移としては、ユーザが検索条件入力エリア１１０で検索条件を入力し、検索ボタン１１２を押して、検索結果表示エリア１２０で検索結果を画面で確認する流れ（図中「１」の矢印で示す）と、検索ボタン１１２を押下後、ユーザが特に画面上で検索結果を確認することなく、スケジュール帳票画面２００に遷移し、帳票を作成する流れ（図中の「１’」の流れ）とがある。後者は、画面でいちいち確認することなく、定型業務などで帳票を直接作成する場合に用いられる。ただし、後者の流れであっても、そのときの検索条件を確認することがあるため、前述の検索条件呼び出し機能が備わっている。もちろん、検索結果を画面で確認後、帳票の画面に移ってもよい（図の「２」の流れ）。
【００２９】
また、図示は省略するが、「２」の流れにおいて、画面上の表示条件と帳票上の出力条件を関連付けしてもよい。例えば、画面上の表示条件で設定した検索項目の並び順を帳票のレイアウトにも反映させるようにしてもよい。そのようにすることで、検索結果の画面上の表示イメージと、帳票の出力イメージとを一致させたり、対応付けが容易になったりする。
【００３０】
本システムは、上位概念としては、データの検索画面から業務レポートとして使用する帳票を出力するための帳票出力方法であって、検索画面からユーザが検索条件を入力する段階と、検索条件にしたがって検索結果を表示する段階と、検索条件ごとに検索結果の表示条件を関連付けて保存する段階と、関連付けられた検索条件と表示条件を参照し、帳票を自動生成して出力する段階と、を含む。
【００３１】
以上で本システムの検索画面の基本構成の説明を終わり、以下では実際の業務における実施例として、銀行の海外向けのインターネットバンキングのシステムにおける検索画面、スケジュール帳票画面について説明する。
【００３２】
（実施例）
図２は、海外インターネットバンキング・システムにおける検索画面の例を示す図である。
この画面は、銀行内のレポート作成のためのデータの検索画面３００である。図示するように、検索画面３００は、検索条件入力エリア３１０（Search Condition)と、検索結果表示エリア３２０とからなっている。
【００３３】
ここでは、検索条件入力エリア３１０の検索項目（検索条件）としては、Account(Account Holder, Account Group),Date(Target Date),Base Currency(基準通貨）がある。また、選択した検索条件を保存するための検索条件保存ボタン（Save this Condition）３１１が設けられている。また、検索条件呼び出し(Retrieve Condition)欄３１２のプルダウンメニューから保存した検索条件名を選択できるようになっている。検索ボタン（Search)３１３を押すと検索結果が検索結果表示エリア３２０に表示される。
【００３４】
検索結果は、ここでは検索結果表示エリア３２０に表形式で表示されている。カラム選択ボタン（Select Columns)３２２を押して、表中の特定のカラム（列）を選択すると（１で示す矢印の列）、その列が、色や文字の太さを変えるなどして強調表示され、そのままその列を、例えば２の矢印の位置まで移動すると、行の位置がその位置に移動する。すなわち、検索結果表示項目の並び替えができる。また、符号３２３のソートキーをクリックすると、昇順、降順など、その項目にソートがかかる。ソートは、例えば４つまで設定可能で、クリックした優先順位でソートがかかるようにしている（第１ソートキー〜第４ソートキーまでが設定可能）。
【００３５】
また、カラム選択ボタン（Select Columns)３２２を押して特定の列（例えば「３」の矢印の列）に、所定の操作をするとその列を強調表示させることができる。特定の行や特定のセルも同様にして強調表示させることができる。すなわち、検索結果の表示方法を変更することができる。この表示方法の変更は、画面上だけとしてもよいし、前述の帳票のフォーマット（レイアウト）に反映させるようにしてもよい。
【００３６】
図３は、海外インターネットバンキング・システムにおけるスケジュール登録画面及びスケジュール帳票設定画面の例を示す図である。スケジュール登録画面４００は、スケジュール条件を新規に登録する機能、登録したスケジュール条件を更新する機能、削除する機能を有する。スケジュール条件を表示又は更新する場合は、スケジュール登録画面４００に表示されたスケジュール名のリストから、更新するスケジュール名をクリックすると、スケジュール帳票設定画面５００が表示され、スケジュール条件の詳細が表示される。もちろん、このスケジュール帳票設定画面５００から編集ボタン（Edit)５０１を押すことでスケジュール条件を編集することがきる。複数のスケジュール条件を処理する場合は、左端のチェックボックスにチェックすることで、スケジュール帳票設定画面５００が別ウィンドウで開き、同時に閲覧・編集ができる。
【００３７】
スケジュール帳票設定画面５００は、帳票（レポート）を、スケジュール条件を登録するための画面である。本システムでは、ここで登録したスケジュールに従って、帳票を自動生成する。いったんスケジュール条件が登録されると、ユーザは、複数の画面を遷移することなく、一つの画面から、定期的（例えば、月次など）に帳票を出力することができる。帳票出力時には、スケジュール条件に従って帳票の表示が可能なリンク情報が作成され、帳票の内容は、後述のスケジュール帳票出力画面６００から、ユーザが上記リンク情報をクリックしたタイミングで作成される。すなわち、ユーザがリンク情報をクリックすることで、帳票が自動生成され、ワンタッチで出力することができる。
【００３８】
図５で図示するように、このスケジュール帳票設定画面５００では、レポートの種類（Report)、検索画面で設定した検索条件(Condition)、出力すべきデータの範囲(Report Selection)を指定し、その他スケジュール作成のための諸条件（Format,Teｍplate,Recordsなど）を指定するOutput Dateエリア５１０と、帳票出力のタイミングを指定するOutput Scheduleエリア５２０とに分けて表示している。
【００３９】
Condition欄右のViewボタン５１１を押すと、保存した検索条件を呼び出し、Retrieve Condition画面５１２に表示することができる。Retrieve Condition画面５１２に表示されるのは、図２に示した検索画面３００の内容である。ここでRetrieve Condition画面５１２に表示するのは、検索画面３００の検索条件３１１だけでなく、検索結果表示エリア３２０の内容も含むようにしたほうが望ましい。検索条件に対するOutputが即座にイメージできるからである。ユーザは、スケジュール条件を設定後、登録ボタン（Register)５０２を押すことでスケジュール条件が登録される。
【００４０】
図４は、海外インターネットバンキング・システムにおけるスケジュール帳票出力画面の例を示す図である。また、図５は、スケジュール帳票を生成する際の抽出条件を示す図である。以下ではこれらの図４、図５を参照しながら説明する。なお、以降のスケジュール出力画面では、いままで説明してきた検索画面と区別するため、「検索」を「抽出」と置き換えている。
【００４１】
図４のスケジュール帳票出力画面６００は、登録されたスケジュール条件を抽出して一覧化し、リンクを押下することで登録された条件で作成した帳票を出力（ダウンロード）するための画面である。図３のスケジュール登録画面４００、スケジュール帳票設定画面５００、スケジュール帳票出力画面６００をまとめてスケジュール帳票画面と呼ぶことがある。
【００４２】
図示するように、この画面の抽出条件エリア６１０は、帳票を出力する日であるOutput Dateとして、データの範囲（日次、月次、月次など）を簡易的に選択するための簡易選択リストボックス（Quick Selection）６１１、日付の範囲を具体的に指定するためのFrom欄６１２及びTo欄６１３が設けられている。また、追加条件欄（More Conditions)６２０には、保存した抽出条件を呼び出す機能が備えられる。
【００４３】
また、抽出結果表示エリア６３０は、図２の場合と同様に、抽出結果が表形式で表示され、カラム選択ボタン６３１、ソートキー６３２が図２の画面の場合と同様に設けられる。したがって、抽出項目である帳票の出力日（Output Date）、スケジュール帳票名(Schedule)６３３,スケジュール帳票ファイル（Report File）６３４、帳票ファイルの内容（Description）の表示順序の並び替え、ソート、表示・非表示の設定などができる。ダウンロード（Download Zip）ボタン６３５は、画面上に表示された帳票データを、ユーザのＰＣにＰＤＦ形式のＺＩＰファイルでダウンロードするためのボタンである。帳票データの画面表示は、リンク情報から生成されるだけでシステム側に保存されるわけでない。したがって、システム側に帳票データを保存するための記憶容量は必要ない。なお、表中の「ＥＲＲＯＲ」は、レポートファイルが存在しないことを示す。なお、スケジュール帳票ファイル（Report File）６３４は、前述したようなリンク情報であり、ユーザがそのリンク情報をクリックしたときに初めてスケジュール帳票の中味が生成される。
【００４４】
スケジュール帳票機能における抽出条件（期間）の設定方法は以下のとおりである。この機能のユーザ（顧客）は、帳票出力用スケジュールを出力サイクル、出力日（スケジュールに従って帳票を自動作成する日）を毎月８日とし、各帳票の抽出条件を、元画面における検索条件として指定する。具体的な日付（From/To)を指定せず、簡易選択リストボックスから、今日、前日、前週、今月、前月などいずれかの値を選択する。また、スケジュール帳票が自動作成される際には、抽出条件（期間）をシステムが自動的に導出する。これらのスケジュール設定、抽出条件（顧客が設定）を基に、スケジュール帳票を自動作成する際のデータ抽出条件を図５に示すように制御する。
【００４５】
なお、図５で、出力日とは、顧客が自動作成されたスケジュール帳票を実際に出力したタイミングでなく、顧客が指定されたスケジュール設定（符号７０１で示す出力サイクル・出力日）に基づき、システムが自動設定したものである。
【００４６】
（帳票出力タイミング）
図６は、スケジュール帳票を出力するタイミングと出力内容の関係を説明するための図である。すなわち、出力サイクルが「日次」、抽出条件（対象期間）が「今日」という指定をした場合、スケジュール帳票を出力するタイミングによって、出力される残高や入出金明細の情報が変わる可能性がある。
【００４７】
図６の上段の表では、「出力日:1/31」のスケジュール帳票「入出金明細」を、1/31当日の11:00に出力した場合、図６の下段の表では、「出力日:1/31」のスケジュール帳票「入出金明細」を、1/31当日の13:00に出力した場合を示している。
【００４８】
以上で本システムの実施形態の説明を終わるが、上記のシステムの画面構成は、あくまで一例であり、一つの画面の領域を分割したり、複数の画面の領域をまとめて一つの画面の領域として構成したりしてもよい。各画面の表示は、コンピュータに内蔵されたＣＰＵ（Central Processing Unit）が、ＲＯＭ（Read Only Memory）又はハードディスク等の記憶装置に格納されたコンピュータ・プログラムを読み出し、ＣＰＵにより実行されたコンピュータ・プログラムによって実現される。
【００４９】
（実施形態の効果）
本システムによれば、検索結果を作業者ごと、業務ごとに編集可能な表示方法を提供し、かつ、検索結果を帳票に出力する手間を軽減する検索結果表示方法・帳票出力方法を提供することができる。ここで、検索結果表示エリアでは、単にシステム出力をそのまま表示するだけでなく、検索結果を目的に応じてユーザが編集することができる。さらに、検索結果画面とスケジュール帳票画面を連携させることで、検索結果画面で内容を画面上で確認することなく、帳票をスケジュール条件に従って出力することができる。さらに、検索結果表示条件と帳票の出力レイアウト（フォーマット）とを連携させるようにもできる。
【００５０】
なお、本発明の実施形態を、銀行の海外インターネットバンキング・システムにおける業務を例にとって説明したが、海外に限らず国内の他の業務における検索や帳票出力にも適用可能であることは言うまでもない。
【００５１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。なお、上記の実施形態では、本発明を方法の発明として説明したが、本発明は、コンピュータ・プログラムの発明（帳票出力プログラム）としても捉えることもできる。
【符号の説明】
【００５２】
１００  検索画面
１１０  検索条件入力エリア
１１１ａ〜１１１ｄ  検索項目Ａ〜Ｄ
１１２  検索ボタン
１１３  検索条件名欄
１１４  検索条件保存ボタン
１２０  検索結果表示エリア
１２１  検索結果
１２２  表示条件選択メニュー
１２３  表示条件名入力欄
１２４  表示条件保存ボタン
２００  スケジュール帳票画面
２１０  出力条件設定エリア
２１１  スケジュール条件入力欄
２１２  スケジュール条件保存ボタン
２１３  出力条件エリア
２１３ａ〜２１３ｅ  出力条件項目指定欄
２１４  出力スケジュールエリア
２１４ａ〜２１４ｃ  出力スケジュールエリア項目指定欄
３００  検索画面
３１０  検索条件入力エリア
３１１  検索条件保存ボタン
３１２  検索条件呼び出し欄
３１３  検索ボタン
３２０  検索結果表示エリア
３２１  検索表示結果（表形式）
３２２  カラム選択ボタン
３２３  ソートキー
４００  スケジュール登録画面
５００  スケジュール帳票設定画面
５０１  編集（Edit）ボタン
５０２  登録（Register)ボタン
５１０  Output Dateエリア
５１１  Viewボタン
５１２  Retrieve Condition画面
５２０  Output Scheduleエリア
６００  スケジュール帳票出力画面
６１０  抽出条件エリア
６１１  簡易選択リストボックス
６１２，６１３  日付指定欄
６３０  抽出結果表示エリア
６３１  カラム選択ボタン
６３２  ソートキー
６３３  スケジュール帳票名
６３４  スケジュール帳票ファイル
６３５  ダウンロードボタン
７００  スケジュール帳票を生成する際の抽出条件
【図１】
2018163619.tif 000004
【図２】
2018163619.tif 000005
【図３】
2018163619.tif 000006
【図４】
2018163619.tif 000007
【図５】
2018163619.tif 000008
【図６】
2018163619.tif 000009
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
データの検索画面から業務レポートとして使用する帳票を出力するための帳票出力方法であって、
前記検索画面からユーザが検索条件を入力する段階と、
前記検索条件ごとに検索結果の表示条件を関連付けて保存する段階と、
前記ユーザが設定する生成スケジュールに従って、前記帳票の表示が可能なリンク情報を生成する段階と、
前記関連付けられた前記検索条件と前記表示条件を参照し、前記帳票を生成して出力する段階と、
を含むことを特徴とする、コンピュータにより実行される帳票出力方法。
【請求項２】
データの検索画面から業務レポートとして使用する帳票を出力するための帳票出力方法であって、
前記検索画面からユーザが検索条件を入力する段階と、
前記検索条件に従った検索処理により得られる検索結果を表示する段階と、
前記検索条件ごとに前記検索結果の表示条件を関連付けて保存する段階と、
前記ユーザが設定するスケジュールに従って、前記帳票の表示が可能なリンク情報を生成する段階と、
前記関連付けられた前記検索条件と前記表示条件を参照し、前記帳票を生成して出力する段階と、
を含むことを特徴とする、コンピュータにより実行される帳票出力方法。
【請求項３】
前記表示条件を前記ユーザに編集させる段階を更に含むことを特徴とする請求項１又は２に記載の帳票出力方法。
【請求項４】
前記編集された前記表示条件を前記帳票のレイアウトに反映させることを特徴とする請求項３に記載の帳票出力方法。
【請求項５】
データの検索画面から業務レポートとして使用する帳票を出力するための帳票出力方法であって、
前記検索画面の検索条件入力エリアからユーザが検索条件を入力する段階と、
前記検索条件に従って検索結果を前記検索画面の検索結果表示エリアに表示する段階と、
前記検索条件ごとに前記検索結果の表示条件を関連付けて保存する段階と、
前記ユーザが設定する生成スケジュールに従って、前記帳票の表示が可能なリンク情報を生成する段階と、
スケジュール帳票画面から、前記関連付けられた前記検索条件と前記表示条件を参照し、前記帳票を生成して出力する段階と、
を含むことを特徴とする、コンピュータにより実行される帳票出力方法。
【請求項６】
データの検索画面から業務レポートとして使用する帳票を出力するための帳票出力方法であって、
前記検索画面の検索条件入力エリアからユーザが検索条件を入力する段階と、
前記検索条件に従った検索処理により得られる検索結果を表示する段階と、
前記検索結果を前記検索画面の検索結果表示エリアに表示する段階と、
前記検索条件ごとに前記検索結果の表示条件を関連付けて保存する段階と、
前記ユーザが設定するスケジュールに従って、前記帳票の表示が可能なリンク情報を生成する段階と、
スケジュール帳票画面から、前記関連付けられた前記検索条件と前記表示条件を参照し、前記帳票を生成して出力する段階と、
を含むことを特徴とする、コンピュータにより実行される帳票出力方法。
【請求項７】
請求項１から６までいずれか１項に記載の帳票出力方法の各段階をコンピュータに実行させる帳票出力プログラム。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
データの検索画面から業務レポートとして使用する帳票を出力するための帳票出力方法であって、
前記検索画面からユーザが検索条件を入力する段階と、
前記検索条件ごとに検索結果の表示条件を関連付けて保存する段階と、
前記ユーザが設定する生成スケジュールに従って、前記帳票の表示が可能なリンク情報を生成する段階と、
前記関連付けられた前記検索条件と前記表示条件を参照し、前記帳票を生成して出力する段階と、
を含み、
前記帳票の内容は、前記ユーザが前記リンク情報をクリックしたタイミングで生成することを特徴とする、コンピュータにより実行される帳票出力方法。
【請求項２】
データの検索画面から業務レポートとして使用する帳票を出力するための帳票出力方法であって、
前記検索画面からユーザが検索条件を入力する段階と、
前記検索条件に従った検索処理により得られる検索結果を表示する段階と、
前記検索条件ごとに前記検索結果の表示条件を関連付けて保存する段階と、
前記ユーザが設定する生成スケジュールに従って、前記帳票の表示が可能なリンク情報を生成する段階と、
スケジュール帳票画面から、前記関連付けられた前記検索条件と前記表示条件を参照し、前記帳票を生成して出力する段階と、
を含むことを特徴とする、コンピュータにより実行される帳票出力方法。
【請求項３】
前記表示条件を前記ユーザに編集させる段階を更に含むことを特徴とする請求項１又は２に記載の帳票出力方法。
【請求項４】
前記編集された前記表示条件を前記帳票のレイアウトに反映させることを特徴とする請求項３に記載の帳票出力方法。
【請求項５】
データの検索画面から業務レポートとして使用する帳票を出力するための帳票出力方法であって、
前記検索画面の検索条件入力エリアからユーザが検索条件を入力する段階と、
前記検索条件に従って検索結果を前記検索画面の検索結果表示エリアに表示する段階と、
前記検索条件ごとに前記検索結果の表示条件を関連付けて保存する段階と、
前記ユーザが設定する生成スケジュールに従って、前記帳票の表示が可能なリンク情報を生成する段階と、
スケジュール帳票画面から、前記関連付けられた前記検索条件と前記表示条件を参照し、前記帳票を生成して出力する段階と、
を含むことを特徴とする、コンピュータにより実行される帳票出力方法。
【請求項６】
請求項１から５までいずれか１項に記載の帳票出力方法の各段階をコンピュータに実行させる帳票出力プログラム。